(57)【要約】【課題】弾球遊技機において連チャン継続の可能性と手段を増やすことにより遊技機の稼働率向上を図る遊技機を提供する。【解決手段】ぱちんこ遊技機１０において、特定判定手段１２６は、確率変動状態が継続したまま発生し得る当りの連続回数に関してあらかじめ定められた連続上限回数に達する当りに関しては非確変当りに該当したと判定するとともに、特定の図柄で当りとなった場合は所定の限定的な変動回数の期間内は始動口６２を入球容易状態にし、その限定的な変動回数の期間は他の当りを契機としては終了しない。【選択図】図３
2011206256.tif 000002
【特許請求の範囲】
【請求項１】
遊技領域が形成された遊技盤と、
前記遊技領域の所定位置に設けられ、遊技球の入球が抽選の契機となるとともにその入球容易性を変化させるための拡開機構を有する始動入賞口と、
前記始動入賞口への入球を契機として、通常遊技より遊技者に有利な状態である特別遊技へ移行するか否かを判定するための当否抽選を実行する当否抽選手段と、
前記当否抽選の結果が当りとなった場合に前記特別遊技を実行する特別遊技制御手段と、
前記当否抽選の結果が当りである場合にその当りが第１の当りおよび第２の当りのいずれに該当したかを判定する特定判定手段と、
前記当否抽選の当りが前記第１の当りに該当した場合は、その特別遊技の終了を契機に、次の当否抽選が当りとなる確率が前記第２の当りに該当した場合よりも高い確率変動状態へ遊技状態を移行させる特定遊技実行手段と、
前記遊技領域の所定位置に設けられ、その入球が、前記拡開機構を拡開させるか否かを決定するための抽選である開放抽選の契機となる作動口と、
前記作動口へ入球した場合に、前記開放抽選の結果を示す普通図柄を所定の表示装置に変動表示させる普通図柄表示制御手段と、
前記普通図柄の変動に関して長さの異なる複数の変動表示時間のうちいずれかを、その決定基準が定められた普通変動決定基準を参照して決定する普通変動パターン決定手段と、
前記開放抽選の結果として前記普通図柄が当りを示す態様で停止表示された場合に前記拡開機構を開放させる開閉制御手段と、
を備え、
前記特定判定手段は、前記確率変動状態が継続したまま発生し得る当りの連続回数に関してあらかじめ定められた連続上限回数に達するまでは前記第１の当りおよび前記第２の当りのいずれにも該当し得るよう判定する一方、前記連続上限回数に達する当りに関しては前記第２の当りに該当したと判定し、
前記普通変動パターン決定手段は、前記確率変動状態の間、前記複数の変動表示時間のうち相対的に短い変動表示時間が通常の普通変動決定基準を参照するときより選択されやすくなるよう定められた短縮普通変動決定基準を参照して前記普通図柄の変動表示時間を決定し、前記当否抽選の結果が当りに該当した場合であってその当りが所定の条件を満たしたときに、その特別遊技後に所定の限定的回数の図柄変動がなされる間においても新たな当り発生の有無にかかわらずその限定的回数の図柄変動が終了するまで前記短縮普通変動決定基準を参照して前記普通図柄の変動表示時間を決定し、
前記特定遊技実行手段は、前記確率変動状態の間および前記限定的回数の図柄変動がなされる間、前記始動入賞口への入球容易性を前記通常の普通変動決定基準が参照されるときより高めることを特徴とする弾球遊技機。
【請求項２】
前記始動入賞口へ入球した場合に、前記当否抽選の結果を示す特別図柄を所定の表示装置に変動表示させる特別図柄表示制御手段と、
前記特別図柄の変動に関して長さの異なる複数の変動表示時間のうちいずれかを、その決定基準が定められた特別変動決定基準を参照して決定するとともに、前記確率変動状態の間、前記複数の変動表示時間のうち相対的に短い変動時間が通常の特別変動決定基準を参照するときより選択されやすくなるよう定められた短縮特別変動決定基準を参照して前記特別図柄の変動表示時間を決定する特別変動パターン決定手段と、
をさらに備えることを特徴とする請求項１に記載の弾球遊技機。
【請求項３】
前記普通変動パターン決定手段は、前記所定の条件として、前記限定的回数の図柄変動がなされている期間外において前記当否抽選の結果が所定種類の当りに該当した場合に前記短縮普通変動決定基準の参照を開始することを特徴とする請求項１または２に記載の弾球遊技機。
【発明の詳細な説明】
【技術分野】
【０００１】
本発明は、ぱちんこ遊技機等の弾球遊技機に関し、特に弾球遊技機における遊技状態および遊技の進行を制御する技術に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当りと呼ばれる特別遊技へと移行するものとして知られている（例えば、特許文献１参照）。表示領域における図柄の変動表示は、単に複数の図柄が変動表示されるだけでなく、いわゆるリーチ画面と呼ばれる状態のように、あと一つ図柄が揃えば大当りとなる状態で変動表示の時間を通常よりも長くする等、遊技者の期待感を高めるための演出が図られている。また、図柄等の画像にキャラクタを用いて変動表示にストーリーを持たせる演出を施したり、特別遊技への移行確率を変動させる確率変動等の特定遊技の制御によっても遊技者の期待感を高めている。
【先行技術文献】
【特許文献】
【０００３】
【特許文献１】特開２００３−２３０７１４号公報
【発明の概要】
【発明が解決しようとする課題】
【０００４】
近年、確率変動により大当りが連続して発生する、いわゆる連チャンによって大きな利益を付与する遊技機が主流となっている。また、一回の大当りの出玉をやや少なくする代わりに連チャンの発生頻度を高めることで、結果的に長い連チャンを経て大きな利益を付与する遊技機も増えつつある。そうした機種では、比較的連チャンが発生しやすいことと引き替えに、所定回数を超える連チャン回数に到達したときに強制的に連チャンを終了させる機能も実現されている。しかし、一方的に連チャンを終了させる仕様の場合、その演出の仕方によっては遊技者の遊技意欲を減退させることにもなりかねず、遊技者には直ちに遊技自体を終了させる気にさせてしまう契機にもなりやすかった。
【０００５】
本発明はこうした課題に鑑みてなされたものであり、その目的は、弾球遊技機において連チャン継続の可能性と手段を増やすことにより遊技機の稼働率向上を図ることにある。
【課題を解決するための手段】
【０００６】
上記課題を解決するために、本発明のある態様の弾球遊技機は、遊技領域が形成された遊技盤と、遊技領域の所定位置に設けられ、遊技球の入球が抽選の契機となるとともにその入球容易性を変化させるための拡開機構を有する始動入賞口と、始動入賞口への入球を契機として、通常遊技より遊技者に有利な状態である特別遊技へ移行するか否かを判定するための当否抽選を実行する当否抽選手段と、当否抽選の結果が当りとなった場合に特別遊技を実行する特別遊技制御手段と、当否抽選の結果が当りである場合にその当りが第１の当りおよび第２の当りのいずれに該当したかを判定する特定判定手段と、当否抽選の当りが第１の当りに該当した場合は、その特別遊技の終了を契機に、次の当否抽選が当りとなる確率が第２の当りに該当した場合よりも高い確率変動状態へ遊技状態を移行させる特定遊技実行手段と、遊技領域の所定位置に設けられ、その入球が、拡開機構を拡開させるか否かを決定するための抽選である開放抽選の契機となる作動口と、作動口へ入球した場合に、開放抽選の結果を示す普通図柄を所定の表示装置に変動表示させる普通図柄表示制御手段と、普通図柄の変動に関して長さの異なる複数の変動表示時間のうちいずれかを、その決定基準が定められた普通変動決定基準を参照して決定する普通変動パターン決定手段と、開放抽選の結果として普通図柄が当りを示す態様で停止表示された場合に拡開機構を開放させる開閉制御手段と、を備える。特定判定手段は、確率変動状態が継続したまま発生し得る当りの連続回数に関してあらかじめ定められた連続上限回数に達するまでは第１の当りおよび第２の当りのいずれにも該当し得るよう判定する一方、連続上限回数に達する当りに関しては第２の当りに該当したと判定し、普通変動パターン決定手段は、確率変動状態の間、複数の変動表示時間のうち相対的に短い変動表示時間が通常の普通変動決定基準を参照するときより選択されやすくなるよう定められた短縮普通変動決定基準を参照して普通図柄の変動表示時間を決定し、当否抽選の結果が当りに該当した場合であってその当りが所定の条件を満たしたときに、その特別遊技後に所定の限定的回数の図柄変動がなされる間においても新たな当り発生の有無にかかわらずその限定的回数の図柄変動が終了するまで短縮普通変動決定基準を参照して普通図柄の変動表示時間を決定し、特定遊技実行手段は、確率変動状態の間および限定的回数の図柄変動がなされる間、始動入賞口への入球容易性を通常の普通変動決定基準が参照されるときより高める。
【０００７】
ここで「普通変動決定基準」は、普通図柄の図柄変動に関して複数の変動時間と複数の抽選値の対応関係が定められたテーブルであってもよい。「通常の普通変動決定基準」は、確率変動状態以外の期間に参照される普通変動決定基準であってもよく、相対的に長い変動表示時間が選択されやすい普通変動決定基準であってもよい。「新たな当り発生の有無にかかわらず」は、限定的回数の図柄変動がなされている途中で当りが発生しても限定的回数の図柄変動の期間は終了させず、その特別遊技後に残りの図柄変動を再開させることで限定的回数の図柄変動の期間を完結させることを意味してもよい。「始動入賞口への入球容易性」を高める方法は、例えば始動入賞口の拡開機構を開放させる時間を通常より長くする方法や、普通図柄の変動表示時間を通常より短くする方法や、開放抽選の当り確率を高める方法などであってもよい。
【０００８】
この態様によると、確率変動状態のままで当りの連続回数が連続上限回数に達して確率変動状態が終了した場合であっても、限定的回数の図柄変動が終了していなければ、依然として始動入賞口への入球容易性は高められたままとなり、実質的に当りが得られやすい状態は継続される。したがって、連続上限回数に達した途端に何の救済もなく一律に出玉獲得チャンスの状態が終了してしまうのではなく、遊技者に再チャレンジの機会が付与される遊技性が実現でき、遊技者の遊技意欲減退の回避を図ることができる。
【０００９】
始動入賞口へ入球した場合に、当否抽選の結果を示す特別図柄を所定の表示装置に変動表示させる特別図柄表示制御手段と、特別図柄の変動に関して長さの異なる複数の変動表示時間のうちいずれかを、その決定基準が定められた特別変動決定基準を参照して決定するとともに、確率変動状態の間、複数の変動表示時間のうち相対的に短い変動時間が通常の特別変動決定基準を参照するときより選択されやすくなるよう定められた短縮特別変動決定基準を参照して特別図柄の変動表示時間を決定する特別変動パターン決定手段と、をさらに備えてもよい。
【００１０】
この場合、確率変動状態においては、普通図柄の変動時間が短縮され、始動入賞口の入球容易性が高められるだけでなく、特別図柄の変動時間もまた短縮されることとなる。この態様においてもまた、当りの連続回数が連続上限回数に達して確率変動状態が終了した場合であっても、限定的回数の図柄変動が終了していなければ始動入賞口への入球容易性は高いままで当りが得られやすい状態は継続される。したがって、遊技者に再チャレンジの機会が付与される遊技性が実現でき、遊技者の遊技意欲減退の回避を図ることができる。
【００１１】
普通変動パターン決定手段は、所定の条件として、限定的回数の図柄変動がなされている期間外において当否抽選の結果が所定種類の当りに該当した場合に短縮普通変動決定基準の参照を開始してもよい。ここで「所定種類の当り」か否かは、特別図柄の停止態様に応じて判断してもよいし、当否抽選の抽選値に応じて判断してもよい。特別図柄の停止態様に応じて判断する場合、特別図柄の複数の停止態様のうち一部のみが「所定種類の当り」に該当することとしてもよいし、すべての停止態様が「所定種類の当り」に該当することとしてもよい。これにより、限定的回数の図柄変動の期間は、新たな当りの発生を契機としては終了したり最初から開始されたりしないこととなる。したがって、始動入賞口の入球容易性を高めた状態を無闇に連鎖させることなく、適切な出玉設計にて遊技者の利益を発生させることができる。
【００１２】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１３】
本発明の弾球遊技機によれば、連チャン継続の可能性と手段を増やすことにより遊技機の稼働率向上を図ることができる。
【図面の簡単な説明】
【００１４】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】当否判定テーブルを模式的に示す図である。
【図５】図柄判定テーブルを模式的に示す図である。
【図６】変動パターンテーブルを模式的に示す図である。
【図７】外れ用の変動パターンテーブルを詳細に示す図である。
【図８】確変状態の期間と普図限定期間の関係を示すタイムチャートである。
【図９】ぱちんこ遊技機における基本的な動作過程を示すフローチャートである。
【図１０】図９におけるＳ１４の通常遊技制御処理を詳細に示すフローチャートである。
【図１１】図１０におけるＳ３４の当否判定処理を詳細に示すフローチャートである。
【図１２】図１０におけるＳ５０の開放抽選制御処理を詳細に示すフローチャートである。
【図１３】図９におけるＳ１６の特別遊技を詳細に示すフローチャートである。
【発明を実施するための形態】
【００１５】
本実施例においては、当否抽選の当り確率が通常確率状態より高められる確率変動状態（以下、「確変」ないし「確変状態」という）への移行を伴う大当りの発生頻度が高い遊技機を想定する。その上で、確変状態が維持されたまま発生する当りの連続回数が、あらかじめ定められた連続上限回数（以下、「確変連続上限回数」という）に達した場合は、その当りを強制的に確変を伴わない当りにする。確変連続上限回数は、例えば３０回である。当否抽選の結果が当りに該当した場合、大入賞口が開放される特別遊技へ移行する。本実施例の特別遊技は、大入賞口が開放して２球以上の入球で閉鎖する単位遊技を２回繰り返すだけであり、特別遊技における獲得賞球総数、いわゆる出玉は比較的少ない。ただし、確変状態においては始動入賞口（以下、「始動口」という）の拡開機構が頻繁に開放されるなど、始動口への入球容易性が格段に高められるため（以下、その状態を「入球容易状態」とよぶ）、始動口への入球に伴う賞球を多く獲得できる。このように、確変連続上限回数に達するまで確変状態を繰り返すことにより、始動口への入球に対する賞球で出玉を獲得していく遊技性が実現される。
【００１６】
一方、当否抽選が当りの場合であって特定の当り図柄であった場合、その特別遊技後にも始動口の入球容易性を高める期間を限定的に設ける（以下、その期間を「普図限定期間」とよぶ）。普図限定期間は、特定の当り図柄で発生した特別遊技の終了後から開始され、特別図柄の変動回数が所定の普図限定回数、例えば１０回に達するその変動の停止まで継続される。普図限定期間が継続する間に新たな当りが発生してもその普図限定期間は終了せず、また、その新たな当りによって普図限定期間が最初から開始することにもならない。すなわち、普図限定期間は特別図柄の変動回数が普図限定回数に達すること以外の契機によっては終了しない。普図限定期間においても入球容易状態となるため、始動口への入球に伴う賞球を多く獲得できるだけでなく、その入球を契機として大当りが発生しやすくなる。
【００１７】
このように、確変に伴う入球容易状態と、普図限定期間における入球容易状態とをそれぞれ独立して設け、確変状態の期間と普図限定期間とを別個独立に進行させ、それぞれの終了が互いの終了契機とならないよう構成した。これにより、確変状態を維持したまま当りの連続回数が確変連続上限回数に達して確変状態が終了してしまっても、同時並行的に普図限定期間が進行して終了していなければ、普図限定期間の終了までは再び確変を伴う大当りを発生させるチャンスが残存する。したがって、いったん終了した確変状態が直ちに再び最初から開始される可能性と、数珠繋ぎ的に確変状態が続く可能性を秘めた遊技性を実現することができる。
【００１８】
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１９】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、後述する演出を制御する手段によって遊技状態などに応じた効果音が出力される。
【００２０】
遊技盤５０は、外レール５４と内レール５６により区画された遊技領域５２上に、アウト口５８、特別図柄表示装置６１、演出表示装置６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。
【００２１】
始動口６２は、遊技球の入球が当否抽選を実行する契機となる入球口であって、遊技球の入球を検出するための始動入賞検出装置７４と、始動口６２に設けられた拡開機構６３（いわゆる電動チューリップ）を拡開させるための普通電動役物ソレノイド７６を備える。拡開機構６３が拡開された場合、始動口６２への開口幅が拡がることとなり入球容易性が向上する。当否抽選は、通常遊技より遊技者に有利な状態である特別遊技へ移行するか否かを判定する抽選であり、始動口６２へ入球があるたびに実行される。始動入賞検出装置７４は、始動口６２への遊技球の入球を検出するセンサであり、入球時にその入球を示す始動入賞情報を生成する。
【００２２】
一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。
【００２３】
大入賞口６６は、遊技球の入球を検出するための入賞検出装置７８と、大入賞口６６を拡開させるための大入賞口ソレノイド８０を備える。入賞検出装置７８は、大入賞口６６への遊技球の入球を検出するセンサであり、入球時にその入球を示す大入賞口入賞情報を生成する。大入賞口６６は、特別図柄１９２が所定の態様にて停止したときに開始される特別遊技において「大当り」として開放状態となる横長方形状の入賞口である。大入賞口６６は、例えばアウト口５８の上方等の位置に設けられる。大入賞口６６の設置個数としては、一つだけ設置する構成に限らず、複数個の大入賞口６６を設置してそれぞれを遊技状態等に応じて使い分ける構成としてもよい。大入賞口６６の入賞検出装置７８は、遊技球の通過を検出するセンサを備えて構成される。
【００２４】
遊技領域５２の左方に設けられた特別図柄表示装置６１および遊技領域５２の略中央に設けられた演出表示装置６０は、それぞれの画面に特別図柄１９２の変動と、特別図柄１９２に連動する装飾図柄１９０を含む演出画像の変動を表示する。以下、そうした表示を「図柄変動」または「変動表示」等という。
【００２５】
特別図柄表示装置６１は、例えば７セグメントＬＥＤで構成される表示装置である。特別図柄１９２は、始動口６２への遊技球の落入を契機として行われる抽選の結果に対応した図柄である。特別図柄１９２の変動表示が停止したときの図柄態様が、あらかじめ当りと定められた図柄であった場合に、その停止図柄が表示されたタイミングが大当り発生タイミングとなる。停止図柄は、図柄変動の終了時に表示すべき図柄である。本実施例における特別図柄１９２は、当りの図柄態様である「０」〜「９」のいずれかの数字や記号、または外れの図柄態様である「−」の記号で表される。これらの数字または記号が高速で次々に入れ替わって特別図柄表示装置６１へ表示されることにより、特別図柄１９２の図柄変動表示が実現される。なお、特別図柄１９２の態様は上記の数字または記号に限られず、英字などの文字であってもよいし、７セグメントＬＥＤを構成する各セグメントの組合せで形成される一般に意味を持たない記号であってもよい。また、７セグメントＬＥＤは、「８の字」を形成する７個のセグメントおよび「ドット」を表す１個のセグメントからなる８個のセグメントで構成されてもよい。この場合、８個のセグメントを組み合わせることにより８ビット分の数値を表現できる。さらに、特別図柄表示装置６１を７セグメントＬＥＤではないＬＥＤドットアレーを用いて、その点灯パターンや点灯色の組合せで複数種類の特別図柄１９２を表現してもよい。
【００２６】
演出表示装置６０は、特別図柄１９２の変動表示と連動する形で装飾図柄１９０を変動表示する液晶ディスプレイで構成される表示装置である。装飾図柄１９０は、特別図柄１９２で示される抽選の結果表示を視覚的に演出するための図柄である。演出表示装置６０は、装飾図柄１９０として、例えばスロットマシンのゲームを模した複数列の図柄変動の動画像を画面の中央領域に表示する。本実施例においては、「０」〜「９」の数字で構成される図柄を３列に表示して変動させ、最終的に停止表示される３個の図柄組合せによって当りまたは外れを示す。装飾図柄１９０を構成する複数の図柄のそれぞれは、色彩や模様の装飾が施された数字、文字、または記号で構成されるが、これら数字、文字、記号に対して全図柄に共通する絵柄または図柄ごとに異なる絵柄を加えて一体化させる形で構成されてもよい。この絵柄は、ぱちんこ遊技機１０の当該機種に設定された装飾または演出のテーマに関連するモチーフが描かれた絵柄であり、例えば人物や動物のキャラクターが描かれた絵柄であってもよい。装飾図柄１９０は、絵柄が一体的に含まれる図柄が変動表示される場合と、絵柄が分離して数字、文字、記号の部分のみが変動表示される場合とが、演出の展開に沿って切り替えられる構成であってもよい。装飾図柄１９０の変動表示の背景には、ぱちんこ遊技機１０の当該機種に設定された装飾または演出のテーマに関連する演出的効果を有する動画像が図柄変動と連動して表示される。
【００２７】
演出表示装置６０は、本実施例では液晶ディスプレイなどの高精細なドットマトリクス型表示装置で構成されるが、ドラム回転式などの機械的表示手段やＬＥＤマトリクス式などの表示手段で構成されてもよい。なお、特別図柄１９２は必ずしも演出的な役割をもつことを要しないため、本実施例では演出表示装置６０の左下方の特別図柄表示装置６１にて目立たない大きさで表示させる。ただし、特別図柄自体に演出的な役割をもたせることで装飾図柄を用いずに表現する手法を採用する場合には、特別図柄を７セグメントＬＥＤではなく液晶ディスプレイに表示させる構成としてもよい。
【００２８】
作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は拡開機構６３を拡開させるか否かを決定する開放抽選の契機となる。作動口６８を遊技球が通過すると、開放抽選の結果を示す図柄である普通図柄が普通図柄表示装置５９に変動表示される。したがって、開放抽選は「普通図柄抽選」とも呼ぶ。本実施例における普通図柄表示装置５９は、便宜上、二つのランプで構成されるとともに、それらのうちいずれのランプが点灯しているかによって普通図柄の表示状態が表現される。例えば、第１のランプの点灯が外れを示し、第２のランプが当りを示すとき、それらが交互に点灯と消灯を繰り返すことによって普通図柄の変動表示が表現され、最終的にいずれかの点灯状態にて停止されることで普通図柄の停止図柄が表現される。普通図柄表示装置５９は演出表示装置６０の右下方に設けられる。変動開始から所定時間の経過後に、普通図柄の変動表示が停止する。
【００２９】
普通図柄の変動時間は、通常状態では例えば３〜４分程度の長時間であるが、確変状態および普図限定期間における入球容易状態では１〜２秒程度の短時間となる。また、通常状態では約１／２の低確率にて普通図柄が当りの図柄で停止するが、入球容易状態では約１／１の高確率にて普通図柄が当りの図柄で停止する。普通図柄が当りの図柄で停止すると、拡開機構６３が所定時間拡開される。さらに、拡開機構６３の開放時間は、通常状態では２秒間であるが、入球容易状態では６秒間となる。
【００３０】
このように、普通図柄の変動時間が短くなれば一定時間あたりの開放抽選回数は増加するので、拡開機構６３の開放頻度も高まり、始動口６２の入球容易性が高まる。また、開放抽選が当りとなって普通図柄が当り図柄で停止する確率が高くなれば、拡開機構６３の開放頻度も高まり、始動口６２の入球容易性が高まる。さらに、拡開機構６３の開放時間が長くなれば、始動口６２の入球容易性が高まる。
【００３１】
演出表示装置６０の周囲には、センター飾り６４が設けられる。センター飾り６４は、遊技球の流路、特別図柄表示装置６１および演出表示装置６０の保護、装飾等の機能を有する。遊技領域５２の左下部には、特別図柄保留表示装置２０が設けられ、その対称的な位置である遊技領域５２の右下部には、普通図柄表示装置５９の下に普通図柄保留表示装置２２が設けられている。
【００３２】
特別図柄保留表示装置２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。当否抽選の保留数が３個になると、遊技効率を高めるために外れの場合の図柄変動時間が通常より短縮される（以下、「短縮変動」ともいう）。同様に、当否抽選の保留数が４個になると、さらに遊技効率を高めるために外れの場合の図柄変動時間が上記３個の場合よりもさらに短縮される（以下、「超短縮変動」ともいう）。
【００３３】
普通図柄保留表示装置２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。
【００３４】
演出表示装置６０の上方および下方には、それぞれ遊技効果ランプ９０が設けられている。操作ボタン８２は、遊技者が遊技機へ所定の指示を入力するために操作する操作入力手段であり、その操作入力の内容に応じて演出内容等に変化が加えられる。操作ボタン８２は、上球皿１５近傍の外壁面に設けられる。本実施例における操作ボタン８２は一つのボタンで構成されるが、複数のボタンや十字キーなどの方向指示ボタンで構成されてもよい。可動役物１４０は、演出に連動して動作が制御される可動物であり、その動作によって演出的役割を果たす。例えば可動役物１４０は、遊技者による操作ボタン８２を介した操作入力に応じて動作する。
【００３５】
以上のような構成においてなされる遊技の方法および制御の流れを概説する。遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当りながらその当り方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００３６】
遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された変動表示時間の経過後に停止される。特別図柄１９２は、その変動開始から停止までの変動態様が定められた変動パターンにしたがって変動表示される。装飾図柄１９０は、その変動開始から停止までの変動態様が定められた変動演出パターンにしたがって変動表示される。変動パターンおよび変動演出パターンはそれぞれ複数種ずつ用意され、それぞれが長短様々な変動時間をもつ。変動パターンにしたがって特別図柄１９２が変動表示される間、同じ変動時間をもつ変動演出パターンにしたがって装飾図柄１９０が変動表示される。変動パターンには、その図柄変動の終了条件としてパターンごとに変動表示時間が定められており、その変動表示時間の経過時に特別図柄１９２および装飾図柄１９０の変動が停止される。
【００３７】
装飾図柄１９０の変動表示としては、まず変動開始とともにスロットマシンのリール回転のように３列とも図柄を変動させ、変動終了タイミングへ近づいたときに一列ずつ停止させることで最終的な停止態様としての図柄組合せを表示する。停止時の特別図柄１９２および装飾図柄１９０が大当りを示す停止態様となった場合、通常遊技よりも遊技者に有利な遊技状態である特別遊技に移行し、大入賞口６６の開閉動作が開始される。大当りを示す装飾図柄１９０の停止態様は、例えば３つの図柄の種類が一致する組合せの態様である。
【００３８】
変動演出パターンには、通常の外れの図柄組合せを表示するときの通常外れ演出パターンと、あと一つ図柄が揃えば大当りとなる状態であるリーチ状態を経て外れの図柄組合せを表示するときのリーチ外れ演出パターンと、リーチ状態を経て大当りの図柄組合せを表示するときのリーチ大当り演出パターンが含まれる。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。
【００３９】
特別遊技は、大入賞口６６が開放され、その開放が約３０秒間続いた後、または２球以上の遊技球が落入した後で一旦閉鎖される。このような大入賞口６６の開放から閉鎖までが、基本的には単位遊技と呼ばれるが、１回の単位遊技の間に複数回の短時間の開放を繰り返す場合があってもよい。大入賞口６６の開閉ないし単位遊技が所定回数、例えば２回繰り返されて特別遊技が終了される。
【００４０】
特別遊技が発生した場合であってそのときの当り停止図柄が特定の態様であった場合、特別遊技の終了後に特定遊技の一つである確変が開始される。確変中は、通常の確率状態より当りの確率が高い当否抽選が行われ、比較的早期に新たな特別遊技が発生し得る。確変は次の当りが発生するまで継続されるが、次の当りもまた確変を伴う当りであれば確変状態が連続することとなり、いわゆる連チャンの状態として実質的に確変状態が継続ないし維持されることとなる。本実施例においては、当り図柄のうち約９５％が確変を伴う当り図柄となるため、連続的な確変付き当たりが発生しやすい。ただし、確変状態が維持されたまま発生し得る連続的な当り回数には上限が設定される。その確変連続上限回数は３０回であり、確変連続上限回数に達する当りは強制的に確変を伴わない当りとされる。確変が開始されるときに同時に変動時間短縮遊技（以下、適宜「時短」という）も開始される。なお、変形例として時短の開始を伴わない確変が実行される場合がある仕様としてもよい。
【００４１】
時短においては、特別図柄１９２および装飾図柄１９０の変動時間が通常状態よりも短縮される。本実施例では、確変状態が続く間、時短も実行され、確変状態が終了すると時短も終了し、特別図柄１９２および装飾図柄１９０の変動時間は元の変動時間に戻される。時短において特別図柄１９２および装飾図柄１９０の変動時間が短縮されるため、通常の変動時間のまま図柄変動がなされる通常状態の場合と比べて、大当りが発生するまでの時間を短縮することができ、大当りの獲得容易性を相対的に高めることができる。
【００４２】
時短中は、始動口６２の入球容易性が高められる入球容易状態となる。入球容易状態では、上述の通り普通図柄の変動時間を通常状態より短縮するとともに、拡開機構６３の拡開時間を通常状態よりも長くする、いわゆる開放延長を実行し、さらに開放抽選の当り確率が通常状態より高められる。時短中は始動口６２への入球による賞球を得られる機会が増加する結果、持ち玉をほとんど減らさずに遊技し続けられるだけでなく、その賞球により持ち玉を増やすことが可能となる。
【００４３】
当否抽選が当りの場合であって特定の当り図柄であった場合、その特別遊技後に設ける限定的な期間である普図限定期間においても始動口６２の入球容易状態とする。普図限定期間は、特定の当り図柄で発生した特別遊技の終了後から開始され、特別図柄の変動回数が所定の普図限定回数、例えば１０回に達するその変動の停止まで継続される。普図限定期間が継続する間に新たな当りが発生してもその普図限定期間は終了せず、また、その新たな当りによって普図限定期間が最初から開始することにもならない。すなわち、普図限定期間は特別図柄の変動回数が普図限定回数に達すること以外の契機によっては終了しない。普図限定期間においても入球容易状態となるため、始動口への入球に伴う賞球を多く獲得できるだけでなく、その入球を契機として大当りが発生しやすくなる。
【００４４】
なお、上述の通り入球容易状態においては、普通図柄の当り確率の変動、拡開機構６３の開放時間の延長、普通図柄の変動時間の短縮の３つの機能を用いて始動口６２への入球容易性を高める構成を本実施例では採用する。ただし、変形例としては、これら３つの機能のうち、１つまたは２つの機能を用いて始動口６２への入球容易性を高める構成としてもよい。このように３つの機能のうち一部だけを用いても始動口６２への入球容易性を高めることは可能である。また、本実施例の確変状態は時短をさらに実施する仕様とするが、変形例では確変状態において特別図柄の時短を実施しない仕様としてもよい。
【００４５】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、特に始動口６２へ入賞したときの抽選等、遊技動作全般を処理する。サブ基板１０４は、液晶ユニット４２を備え、演出表示装置６０における表示内容や複数の可動役物１４０の動作、遊技効果ランプ９０の点灯を制御し、特にメイン基板１０２による抽選結果に応じて表示内容を変動させ、その演出の進行に沿って可動役物１４０や遊技効果ランプ９０の点灯を作動させる。メイン基板１０２およびサブ基板１０４は、遊技制御装置１００を構成する。セット基板３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００４６】
図３は、本実施例におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、演出表示装置６０、普通図柄表示装置５９、操作ボタン８２、スピーカ１８、遊技効果ランプ９０、可動役物１４０のそれぞれと電気的に接続されており、各種制御信号の送受信を可能とする。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００４７】
本実施例におけるメイン基板１０２は、入球判定手段１１０、当否抽選手段１１２、図柄決定手段１１４、変動パターン決定手段１１５、保留制御手段１１６、メイン表示制御手段１１８、特別遊技制御手段１２０、特定遊技実行手段１２２、開閉制御手段１２４、特定判定手段１２６を備える。本実施例におけるサブ基板１０４は、パターン記憶手段１３０、図柄態様決定手段１３１、演出決定手段１３２、演出表示制御手段１３４、役物制御手段１３６を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００４８】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００４９】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００５０】
当否抽選手段１１２は、始動口６２への入球を契機に、通常遊技より遊技者に有利な状態である特別遊技へ移行するか否かを判定するための乱数の値を当否抽選値として取得する。たとえば、当否抽選値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。当否抽選手段１１２が当否抽選値として取得する値は、保留制御手段１１６により一時的に保留される。ただし、所定の保留上限数を超えない範囲で当否抽選値が保留される。
【００５１】
当否抽選手段１１２は、当否判定で参照する当否テーブルを複数保持する。複数の当否テーブルには、当りまたは外れの判定結果と当否抽選値とが対応付けられており、対応付けられた当りの範囲設定に応じて当否確率が定まる。当否抽選手段１１２は、通常時には通常確率による当否判定のための通常当否テーブルを参照し、確率変動時には通常確率より当りの確率が高くなる確変当否テーブルを参照する。当否抽選手段１１２は、複数の当否テーブルのうちいずれかを参照し、当否抽選値が当りであるか否かを判定する。
【００５２】
図４は、当否判定テーブルを模式的に示す図である。図示する通り、当否テーブルには、大当りおよび外れの判定結果と当否抽選値とが対応付けられており、対応付けられたそれぞれの範囲設定に応じて大当り当否確率が定まる。当否抽選手段１１２は、始動口６２への入球を契機とした当否抽選において本図の当否テーブルを参照する。当否抽選手段１１２による当否抽選においては、通常時には当否抽選値が０〜４３６８の範囲に該当したときに大当りとなる。したがって通常時の大当り確率は約１／１５である。当否抽選値が４３６９〜６５５３５の範囲に該当したときは外れとなる。確変時には大当りの範囲が拡大され、当否抽選値が０〜４３６８の範囲に該当する場合だけでなく、４３６９〜４３６８９の範囲に該当する場合にも大当りとなる。したがって確変時の大当り確率は約１／１．５である。当否抽選値が４３６９０〜６５５３５の範囲に該当したときは外れとなる。このように、大当りに該当する範囲は遊技状態に応じて変化する。なお、本図では単一の当否テーブルによって通常時と確変時の双方の大当り範囲を示したが、当否テーブルは通常時用と確変時用とで別個に用意してもよい。
【００５３】
図３に戻り、当否抽選手段１１２による判定結果は、特別図柄表示装置６１において特別図柄の形で変動表示される。また、当否抽選手段１１２による判定結果を演出的に示す装飾図柄が演出表示装置６０において変動表示される。当否抽選手段１１２は、図柄変動を開始するタイミングにおいて、その図柄変動に対応する抽選の結果を図柄変動の制御コマンドとともに図柄態様決定手段１３１および演出決定手段１３２へ送信する。
【００５４】
特定判定手段１２６は、当否抽選の結果が当りである場合にその当りが確変を伴う当りおよび確変を伴わない当りのいずれに該当したかを、後述する特別図柄の停止図柄に応じて判定する。特定判定手段１２６は、確変状態が継続したまま発生し得る当りの連続回数に関してあらかじめ定められた確変連続上限回数に達するまでは確変を伴う当りおよび確変を伴わない当りのいずれにも該当し得るよう判定する。一方、確変連続上限回数に達する当りに関しては強制的に確変を伴わない当りに該当したと判定する。特定判定手段１２６は、当否抽選の結果が当りである場合にその当りが普図限定期間を伴う当りおよび普図限定期間を伴わない当りのいずれに該当したかを、後述する特別図柄の停止図柄に応じてさらに判定する。
【００５５】
図柄決定手段１１４は、特別図柄表示装置６１に表示させる特別図柄の停止図柄を、当否抽選手段１１２による抽選の結果に応じて決定する。図柄決定手段１１４は、特別図柄の停止図柄を決定するために参照すべき図柄範囲テーブルを保持する。図柄決定手段１１４は、特別図柄を決定するための図柄決定抽選値を取得し、当否抽選手段１１２による当否判定結果と図柄決定抽選値とに応じて特別図柄の停止図柄を決定する。
【００５６】
図５は、図柄判定テーブルを模式的に示す図である。図５（ａ）は当否抽選が当りの場合に参照する第１図柄判定テーブル３００を模式的に示す図である。図柄決定手段１１４は、特別図柄の決定処理において本図の第１図柄判定テーブル３００を参照する。第１図柄判定テーブル３００には、「０」〜「９」の数字や記号および「−」の記号で表される特別図柄と図柄抽選値との対応関係が定められているが、本図では各特別図柄に割り当てられた一意の特別図柄番号と図柄抽選値との対応関係を示す。各特別図柄には、特別図柄番号「１」〜「２０」のいずれか、確変を伴うか否か、普図限定期間を伴うか否かが定められている。図柄決定手段１１４は、図柄抽選値がいずれの範囲に含まれるかに応じて特別図柄番号「１」〜「２０」のうちいずれかを選択する。特定判定手段１２６は、特別図柄番号「１」が選択された場合のみ確変を伴わない当りと判定し、特別図柄番号「２」〜「２０」が選択された場合は確変を伴う当りと判定する。すなわち、当りのうち約９５％の確率で確変を伴う当りに該当する。特定判定手段１２６は、特別図柄番号「１」〜「１９」が選択された場合は普図限定期間を伴わない当りと判定し、特別図柄番号「２０」が選択された場合のみ普図限定期間を伴う当りと判定する。すなわち、当りのうち約５％の確率で普図限定期間を伴う当りに該当する。この図柄を「普図限定図柄」ともよぶ。
【００５７】
図５（ｂ）は連続当り回数が確変連続上限回数に達した当りの場合に参照する第２図柄判定テーブル３０２を模式的に示す図である。確変状態が維持されたまま連続して発生した当りの回数が確変連続上限回数に到達した場合、図柄決定手段１１４は図５（ａ）の第１図柄判定テーブル３００に代わり本図の第２図柄判定テーブル３０２を参照する。第２図柄判定テーブル３０２には、特別図柄番号として「２１」のみが全範囲の図柄抽選値に割り当てられている。また、特別図柄番号「２１」の当りは確変を伴わず、普図限定期間も伴わない。これにより、連続当り回数が確変連続上限回数に達した場合は必ず確変および普図限定期間を伴わない当りとなる。
【００５８】
図５（ｃ）は当否抽選が外れの場合に参照する第３図柄判定テーブル３０４を模式的に示す図である。当否抽選が外れの場合、図柄決定手段１１４は本図の第３図柄判定テーブル３０４を参照する。第３図柄判定テーブル３０４には、外れの特別図柄として特別図柄番号「０」のみが全範囲の図柄抽選値に割り当てられるとともに、当然ながら確変も普図限定期間も伴わない。
【００５９】
図３に戻り、図柄決定手段１１４は、普通図柄表示装置５９に表示させる普通図柄の停止図柄を抽選により決定する。図柄決定手段１１４は、遊技球が作動口６８を通過した場合に、普通図柄の停止図柄を決定するための開放抽選として抽選値を取得する。図柄決定手段１１４は、開放抽選の結果を普通図柄の形で普通図柄表示装置５９に変動表示させるために、取得した抽選値に応じて普通図柄の停止図柄を決定する。図柄決定手段１１４は、抽選値と普通図柄の対応関係が定められた図柄判定テーブルを保持し、その図柄判定テーブルを参照して抽選値に対応する普通図柄の停止図柄を決定する。決定された停止図柄が所定の当り図柄となった場合に開放抽選が当りに該当したと判定され、その停止図柄にて普通図柄の変動表示が停止された後に開閉制御手段１２４が始動口６２の拡開機構６３を所定時間拡開する。図柄決定手段１１４は、通常状態では約１／２の確率で当りと判定し、入球容易状態では約１／１の確率で当りと判定する。普通図柄の抽選値は、保留制御手段１１６により一時的に保留される。ただし、保留制御手段１１６により保留される所定の保留上限数を超えない場合にだけ抽選値が保留される。
【００６０】
図柄決定手段１１４は、決定した停止図柄を示すデータをメイン表示制御手段１１８、図柄態様決定手段１３１、演出決定手段１３２へ送出する。
【００６１】
変動パターン決定手段１１５は、特別変動パターン決定手段１５０および普通変動パターン決定手段１５２を含む。特別変動パターン決定手段１５０は、当否抽選の結果に応じて複数種の変動パターンからいずれかの変動パターンを選択する。特別変動パターン決定手段１５０は、変動パターンを決定するための決定基準が定められた特別変動決定基準としてパターン選択テーブルを保持し、そのパターン選択テーブルを参照していずれかの変動パターンを選択する。複数種の変動パターンは、長短様々な変動時間をもつとともに、その変動時間にて複数の図柄で構成される装飾図柄による図柄変動も実行されることを前提として規定される。各変動パターンには、その図柄変動の終了条件としてパターンごとに変動表示時間が定められており、その変動表示時間の経過時に特別図柄および装飾図柄の変動が停止される。
【００６２】
パターン選択テーブルは、通常確率状態において参照する通常パターン選択テーブルと、確変状態ないし時短状態において参照する短縮パターン選択テーブルと、を含む。短縮パターン選択テーブルは、長さの異なる複数の変動表示時間をもつ複数の変動パターンのうち相対的に短い変動時間が、通常パターン選択テーブルを参照するときより選択されやすくなるよう定められている。特別変動パターン決定手段１５０は、決定した変動パターンを示すデータをメイン表示制御手段１１８、図柄態様決定手段１３１、演出決定手段１３２へ送出する。特別変動パターン決定手段１５０は、複数種の変動パターンを記憶する。
【００６３】
図６は、変動パターンテーブルを模式的に示す図である。変動パターン決定手段１１５は、当否判定結果が外れのときは図６（ａ）に示される外れ用の変動パターンテーブルを参照する。当否判定結果が当りのときは図６（ｂ）に示される当り用の変動パターンテーブルを参照する。確変状態においては、時短状態とするために変動パターン決定手段１１５が図６（ｃ）に示される時短用の変動パターンテーブルを参照する。
【００６４】
図６（ａ）においては、パターン抽選値０〜１０には「スーパー１」というスーパーリーチが対応付けられ、パターン抽選値１１〜２０には「スーパー２」というスーパーリーチが対応付けられている。パターン抽選値２１〜２５５には「ノーマル１」「ノーマル２」「リーチなし」のいずれかの変動パターンが対応付けられている。このように、当否判定結果が外れの場合、スーパーリーチ、ノーマルリーチ、リーチなしのいずれも選択される可能性がある。なお、外れ用の変動パターンテーブルは保留数ごとに参照すべき欄が異なるように規定されるが、通常状態を例とするその詳細は後述する図７において説明する。
【００６５】
図６（ｂ）においては、パターン抽選値０〜１２０には「スーパー１」のスーパーリーチが対応付けられ、パターン抽選値１２１〜２４０には「スーパー２」のスーパーリーチが対応付けられている。パターン抽選値２４１〜２５０には「ノーマル１」のリーチが対応付けられ、パターン抽選値２５１〜２５５には「ノーマル２」のリーチが対応付けられている。このように、当否判定結果が当りの場合はリーチ付きの変動パターンが選択される。
【００６６】
図６（ｃ）においては、（ａ）と同様にパターン抽選値０〜１０に「スーパー１」のスーパーリーチが対応付けられ、パターン抽選値１１〜２０に「スーパー２」のスーパーリーチが対応付けられている。しかし、パターン抽選値２１〜２５５には「リーチなし短縮」の変動パターンのみが対応付けられている。この「リーチなし短縮」は、図６（ａ）における「リーチなし」よりも変動表示時間が短く、しかもこの「リーチなし短縮」の選択頻度が他の変動パターンの選択頻度より高いため、全体として平均的な変動表示時間も図６（ａ）と比べて短縮される。
【００６７】
図３に戻り、普通変動パターン決定手段１５２は、普通図柄の変動に関して長さの異なる複数の変動表示時間のうちいずれかを選択する。普通変動パターン決定手段１５２は、普通図柄の変動表示時間を決定するための決定基準が定められた普通変動決定基準を保持し、その基準を参照していずれかの変動表示時間を選択する。普通変動決定基準は、通常状態において参照する通常普通変動決定基準と、確変状態および普図限定期間において参照する短縮普通変動決定基準と、を含む。短縮普通変動決定基準は、長さの異なる複数の変動表示時間のうち相対的に短い変動表示時間が、通常普通変動決定基準を参照するときより選択されやすくなるよう定められている。普通変動パターン決定手段１５２は、確変状態および普図限定期間において、短縮普通変動決定基準を参照して普通図柄の変動表示時間を決定する。
【００６８】
普通変動パターン決定手段１５２は、当否抽選の結果が当りの場合であって、その当り図柄が普図限定図柄に該当した場合に、特別遊技終了後に普図限定期間を開始する。具体的には、参照する普通変動決定基準を通常普通変動決定基準から短縮普通変動決定基準に切り替える。普図限定期間は、当り図柄が普図限定図柄に該当した場合の特別遊技終了後に開始され、特別図柄の変動表示回数が普図限定回数である１０回に達したその変動終了時に終了する。その間に別の当りが発生しても普図限定期間は終了せず、途中で新たに普図限定期間が最初から開始されることもない。すなわち、普図限定期間は特別図柄の変動回数が普図限定回数に達すること以外の契機によっては終了しない。したがって、普図限定期間以外の期間において当たり図柄が普図限定図柄に該当した場合のみ普図限定期間が開始されることとなる。
【００６９】
保留制御手段１１６は、始動口６２へ新たな入球があって新たに当否抽選が実行されるときにそれ以前の入球ないし抽選に対応する図柄変動が表示されている場合、新たな入球に基づく当否抽選の結果をその抽選に対応する図柄の変動表示開始まで保留する。本実施例では当否抽選の結果として４個を上限として当否抽選値を保留球として保持する。保留制御手段１１６はさらに、当否抽選手段１１２により取得された普図抽選値を保留球として保持する。これらの保留数がそれぞれ特別図柄保留表示装置２０、普通図柄保留表示装置２２の点灯数または点滅数により表される。
【００７０】
メイン表示制御手段１１８は、特別図柄表示制御手段１５４および普通図柄表示制御手段１５６を含む。特別図柄表示制御手段１５４は、当否抽選手段１１２による抽選の結果を、特別変動パターン決定手段１５０により決定された変動パターンにしたがって特別図柄１９２の変動表示として特別図柄表示装置６１に表示させる。特別図柄表示制御手段１５４は、それ以前になされた当否抽選に対応する特別図柄１９２の変動表示が終了していることを新たな図柄変動の開始条件とする。特別図柄表示制御手段１５４は、特別図柄１９２の変動表示を開始するタイミングと停止するタイミングにて、変動開始コマンドと変動停止コマンドを演出表示制御手段１３４へ送信する。変動開始コマンドを送信するとき、決定された当否判定結果、停止図柄、変動パターンのそれぞれを示す値を変動開始コマンドとともに演出表示制御手段１３４へ送信する。変動停止コマンドを送信するとき、あらためて停止図柄を示す値を変動停止コマンドとともに演出表示制御手段１３４へ送信する。これにより、特別図柄表示制御手段１５４および演出表示制御手段１３４による変動表示が同期し、連動が保たれる。
【００７１】
普通図柄表示制御手段１５６は、作動口６８へ入球した場合に、開放抽選の結果を普通図柄の変動表示として普通図柄表示装置５９に表示させる。通常状態における普通図柄表示制御手段１５６は、普通変動パターン決定手段１５２により通常普通変動決定基準にしたがって選択された変動表示時間にて普通図柄を変動表示させる。通常普通変動決定基準にしたがって選択される変動表示時間は３〜４分間である。入球容易状態における普通図柄表示制御手段１５６は、普通変動パターン決定手段１５２により短縮普通変動決定基準にしたがって選択された変動表示時間にて普通図柄を変動表示させる。短縮普通変動決定基準にしたがって選択される変動表示時間は１〜２秒である。
【００７２】
特別遊技制御手段１２０は、当否抽選手段１１２による当否抽選が特別遊技への移行を示す結果となった場合、特別図柄１９２が所定の大当り態様で停止されたときに特別遊技作動条件が成立したと判定し、大入賞口６６を開放させることにより特別遊技を実行する。特別遊技は、大入賞口６６の開閉動作を複数回数連続して継続する遊技であり、１回の開閉を単位とした複数回の単位遊技で構成される。本実施例における特別遊技は、単位遊技を２回繰り返す２Ｒ大当りである。２Ｒ大当りにおいては、１回の単位遊技において大入賞口６６を原則として約３０秒間開放させるが、その経過前であっても大入賞口６６へ２球以上の入球があった時点で閉鎖される。特別遊技制御手段１２０は、単位遊技の設定ラウンド数を消化したときに特別遊技を終了させる。
【００７３】
特定遊技実行手段１２２は、当否抽選の当りが確変を伴う当りに該当した場合、その特別遊技の終了を契機に確変状態へ遊技状態を移行させる。具体的には、当否抽選手段１１２が参照すべき当否テーブルとして確変用の当否テーブルを設定するとともに、特別変動パターン決定手段１５０が参照すべき変動パターンテーブルとして時短用の変動パターンテーブルを設定する。また、本実施例の確変状態においては、当否抽選の当り確率を高めるだけでなく、始動口６２への入球容易性を高める入球容易状態へ移行する。特定遊技実行手段１２２は、確率変動状態および普図限定期間において、普通変動決定基準として短縮普通変動決定基準を設定し、開放抽選の当り確率を通常より高い確率に設定し、拡開機構６３の開放時間を通常より長い時間に設定する。
【００７４】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。その開放時間は、通常状態において約２秒間で、入球容易状態において約６秒間である。また、開閉制御手段１２４は、特別遊技中、大入賞口ソレノイド８０に開放指示を送り、大入賞口６６を開放させる。
【００７５】
パターン記憶手段１３０は、装飾図柄１９０の変動において演出表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当りへの期待度の高さを変動表示の停止前に前兆として予告的に示唆する複数の予告演出パターンとが含まれる。
【００７６】
演出決定手段１３２は、当否抽選手段１１２から受け取る当否抽選の結果に応じて、演出表示制御手段１３４によって演出表示装置６０へ表示させる演出内容を決定する。演出決定手段１３２は、特別変動パターン決定手段１５０により決定された特別図柄の変動パターンに対応する複数の変動演出パターンデータの中からいずれかを選択してパターン記憶手段１３０から読み出し、その変動演出パターンの情報を演出表示制御手段１３４へ送る。演出決定手段１３２は、変動演出パターンを選択するために参照すべきパターンテーブルを保持する。
【００７７】
各変動演出パターンには、その図柄変動の終了条件としてパターンごとに変動時間が定められており、その変動時間の経過時に図柄変動が停止される。演出決定手段１３２は、特別図柄の変動パターンに応じて、変動時間が等しい演出画像の変動演出パターンを選択する。
【００７８】
図柄態様決定手段１３１は、装飾図柄１９０の停止図柄の組合せとその配置を、当否抽選手段１１２による抽選の結果、特別図柄の停止図柄、特別図柄の変動パターン、装飾図柄の変動演出パターンに応じて決定する。図柄態様決定手段１３１は、決定した停止図柄の組合せを示す情報を演出表示制御手段１３４へ送信する。図柄態様決定手段１３１は、装飾図柄の停止図柄を決定するために参照すべき図柄範囲テーブルを保持する。
【００７９】
装飾図柄１９０の停止図柄は、３つの図柄の組合せとして形成され、例えば当否抽選手段１１２による当否判定結果が大当りの特別遊技への移行を示す場合には特定の組合せ、例えば「７７７」や「１１１」のように３つの図柄が揃った組合せが選択される。この場合、装飾図柄１９０として揃える数字には、特別図柄１９２と同じ数字が選ばれるのが好ましい。例えば、特別図柄１９２が「７」の場合は装飾図柄１９０が「７７７」となる。当否判定結果が外れの場合は、「３１２」や「９４６」のように３つの図柄が揃っていない組合せが選択される。当否判定結果がリーチ付きの外れを示す変動パターンが選択された場合は、「１９１」や「７２７」のように一つだけ図柄が揃っていない組合せを選択する。
【００８０】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当りへの期待度が高くなるように設定されるステップアップ予告演出がさらに含まれる。
【００８１】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【００８２】
演出決定手段１３２は、当否抽選の結果に応じて演出表示装置６０に予告演出を表示させるか否かを所定の予告抽選により決定して前兆設定をするとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当りの場合は外れの場合よりも高い確率で予告演出を表示させるよう、当否抽選の結果と予告演出を表示するか否かの対応関係が定められる。これにより、予告演出が表示されること自体で大当りへの期待度の高さを示唆することができる。
【００８３】
演出表示制御手段１３４は、当否抽選手段１１２による当否抽選の結果として、選択された変動演出パターンデータにしたがって演出表示装置６０へ装飾図柄を含む演出画像を変動表示させる。演出表示制御手段１３４は、装飾図柄１９０の変動開始コマンドを受け取ったときに新たな図柄変動を開始させる。演出表示制御手段１３４は、確変状態および普図限定期間の開始時、期間中、および終了時のうち少なくともいずれかについてその旨を遊技者に報知する演出を実行する。
【００８４】
演出表示制御手段１３４は、予告演出を表示させる旨が演出決定手段１３２により決定された場合、選択された予告演出パターンにしたがった予告演出を図柄変動の演出に重畳させる形で演出表示装置６０へ表示させる。演出表示制御手段１３４は、遊技効果ランプ９０の点灯および消灯や、スピーカ１８からの音声出力などの演出処理をさらに制御する。
【００８５】
役物制御手段１３６は、演出表示制御手段１３４から受け取る指示にしたがい、演出表示装置６０における演出内容や遊技効果ランプ９０の点滅過程に沿って、可動役物１４０を演出的に動作させる。
【００８６】
図７は、外れ用の変動パターンテーブルを詳細に示す図である。本図の変動パターンテーブル２１０においては、保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、保留制御手段１１６による保留数が少ないほど平均的な変動時間が長くなる。したがって、保留制御手段１１６による保留数が所定数、例えば１〜２個となった場合に、変動時間の長い変動パターンの選択確率が通常より高くなり、変動時間が比較的長くなりやすい。
【００８７】
第１欄２１２には、保留制御手段１１６による当否抽選の結果保留数が１の場合のパターン抽選値範囲と変動パターンとの対応関係が示される。同様に、第２欄２１４、第３欄２１６、第４欄２１８に、保留制御手段１１６による当否抽選の結果保留数がそれぞれ２、３、４の場合のパターン抽選値範囲と変動パターンとの対応関係が示される。すなわち、第１欄２１２、第２欄２１４、第３欄２１６、第４欄２１８が保留数ごとの変動パターンテーブルを示すと考えることができる。本図では、外れのときに選択され得る複数の変動パターンを変動時間別に５種類に分類した例を説明するが、実際にはそれらの分類ごとに複数の変動演出パターンが用意されており、全体で数十種類の変動演出パターンがそれぞれの分類ごとの抽選値範囲に対応付けられていることに等しい。
【００８８】
第１範囲２２２には、抽選値が０から１０までのパターン抽選値に該当する場合の変動パターンとして、第１欄２１２、第２欄２１４、第３欄２１６、第４欄２１８のいずれにも「スーパー１」というスーパーリーチの変動パターンが対応付けられる。第２範囲２２４には、抽選値が１１から２０までのパターン抽選値に該当する場合の変動パターンとして、第１欄２１２、第２欄２１４、第３欄２１６、第４欄２１８のいずれにも「スーパー２」というスーパーリーチの変動パターンが対応付けられる。このように、抽選値が０から１０までのパターン抽選値と抽選値が１１から２０までのパターン抽選値の場合には、保留数にかかわらず同じ変動時間の変動パターンが選択される。
【００８９】
第３範囲２２６には、抽選値が２１から２５５までのパターン抽選値に該当する場合の変動パターンとして、第１欄２１２、第２欄２１４、第３欄２１６、第４欄２１８にはそれぞれノーマルリーチである「ノーマル１」「ノーマル２」と「リーチなし外れ」の３種類の変動パターンが対応付けられる。ただし、それぞれの変動パターンが対応付けられるパターン抽選値の範囲は保留数によって異なる。第１欄２１２では、「ノーマル１」「ノーマル２」「リーチなし」のそれぞれが対応付けられる抽選値範囲の大きさがそれぞれほぼ等しく、２１から２５５をほぼ３等分した範囲が対応付けられている。これに対し、第２欄２１４では、「ノーマル１」「ノーマル２」のそれぞれに対応付けられる抽選値範囲の大きさが「リーチなし」に対応付けられる抽選値範囲より小さい。また、第３欄２１６および第４欄２１８では「ノーマル１」「ノーマル２」のそれぞれに対応付けられる抽選値範囲の大きさがさらに小さくなっている。
【００９０】
「ノーマル１」「ノーマル２」の変動時間は「リーチなし外れ」の変動時間より長くてもよく、また「リーチなし外れ」のときは時短状態のように変動時間が短縮される場合もあるため、上記の第３範囲２２６の設定内容に応じて平均的な変動時間が異なることとなる。保留数が１から２、３、４と多くなるにつれて「ノーマル１」および「ノーマル２」のパターン抽選値範囲は小さくなり、逆に「リーチなし外れ」のパターン抽選値範囲が大きくなる。したがって、保留数が多いほど平均的な変動時間は短くなり、逆に保留数が少ないほど平均的な変動時間は長くなる。このように保留数ごとにパターン抽選値範囲と変動パターンの対応関係が異なる変動パターンテーブルを用いることにより、保留数が少なくなったときに変動時間の長い変動パターンが選択されやすくなる制御を実現することができる。
【００９１】
第３欄２１６に対応付けられた「リーチなし外れ」の変動パターンは、第１欄２１２、第２欄２１４に対応付けられた「リーチなし外れ」よりも変動時間が短い、いわゆる「短縮変動」の変動パターンである。また、第４欄２１８に対応付けられた「リーチなし外れ」の変動パターンは、第１欄２１２、第２欄２１４に対応付けられた「リーチなし外れ」よりも変動時間が短く、第３欄２１６の「短縮変動」よりもさらに変動時間が短い、いわゆる「超短縮変動」の変動パターンである。
【００９２】
図８は、確変状態の期間と普図限定期間の関係を示すタイムチャートである。本図では、確変状態が連続して当りの連続回数が確変連続条件回数である３０回に達する場合のその期間を確変連続期間３１０として示す。確変連続期間３１０において、特別図柄が普図限定期間を伴う当り図柄に該当した第１普図限定当り３２０を契機として第１普図限定期間３１２が開始される。第１普図限定期間３１２は特別図柄が１０回変動される間は継続される。その間に普図限定期間を伴う当り図柄に該当する第２普図限定当り３２２が発生しても第１普図限定期間３１２は終了されず、新たな普図限定期間も開始されない。第２普図限定期間３１４が終了した後、普図限定期間を伴う新たな当りである第３普図限定当り３２４を契機として第２普図限定期間３１４が開始された場合、その間に確変連続期間３１０が終了しても、第２普図限定期間３１４は特別図柄が１０回変動される間は継続される。したがって、第２普図限定期間３１４の間にあらたに当りが発生すれば、確変連続期間３１０が終了していても最初から確変連続期間３１０が開始される可能性があり、確変連続期間の数珠繋ぎ的な連鎖が期待できる。
【００９３】
このように、確変に伴う入球容易状態と、普図限定期間における入球容易状態とをそれぞれ独立して設け、確変状態の期間と普図限定期間とを別個独立に進行させ、それぞれの終了が互いの終了契機とならないよう構成した。これにより、確変状態を維持したまま当りの連続回数が確変連続上限回数に達して確変状態が終了してしまっても、同時並行的に普図限定期間が進行し、まだその期間が終了していなければ、普図限定期間の終了までは再び確変を伴う大当りを発生させるチャンスが残存する。したがって、いったん終了した確変状態が直ちに再び最初から開始されて救済される可能性と、数珠繋ぎ的に確変状態が続く可能性を秘めた遊技性を実現することができる。
【００９４】
図９は、ぱちんこ遊技機における基本的な動作過程を示すフローチャートである。まず、遊技球が始動口６２、一般入賞口７２、大入賞口６６などへ入球した場合の処理を実行し（Ｓ１０）、特別遊技中でなければ（Ｓ１２のＮ）、当否抽選や開放抽選などの通常遊技の制御処理を実行し（Ｓ１４）、特別遊技中であれば（Ｓ１２のＹ）、特別遊技の制御処理を実行して（Ｓ１６）、Ｓ１４をスキップする。最後に、Ｓ１０の入賞処理においてセットされた賞球数にて各種入賞に応じた賞球払出を処理する（Ｓ１８）。
【００９５】
図１０は、図９におけるＳ１４の通常遊技制御処理を詳細に示すフローチャートである。通常遊技制御処理において、特別図柄の当否抽選値の保留がなされている場合であって（Ｓ３０のＹ）、特別図柄が変動表示中でなければ（Ｓ３２のＮ）、当否抽選手段１１２が当否判定処理を実行する（Ｓ３４）。その判定結果に応じてメイン表示制御手段１１８が特別図柄の変動表示を開始するとともに、変動開始コマンドを演出表示制御手段１３４へ送信し、これを受信した演出表示制御手段１３４が変動演出パターンにしたがって演出画像の変動表示を開始する（Ｓ３６）。Ｓ３０において当否抽選値が保留されていなかった場合は（Ｓ３０のＮ）、Ｓ３２からＳ３６までの処理がスキップされ、Ｓ３２において特別図柄が変動表示中であった場合は（Ｓ３２のＹ）、Ｓ３４およびＳ３６の処理がスキップされる。続いて、特別図柄の変動表示がすでに開始されていれば（Ｓ３８のＹ）、特別図柄および演出画像の変動表示処理を実行し（Ｓ４０）、特別図柄の変動表示を終了させるべきタイミングに達していれば（Ｓ４２のＹ）、特別図柄および演出画像の変動停止処理を実行する（Ｓ４４）。このとき、普図限定回数に到達していれば（Ｓ４６のＹ）、普図限定期間を終了させ（Ｓ４８）、普図限定回数に到達していない、または普図限定期間中でない場合は（Ｓ４６のＮ）、Ｓ４８をスキップする。Ｓ３８において、特別図柄の変動表示が開始されていなければ、Ｓ４０からＳ４８までの処理をスキップし（Ｓ３８のＮ）、Ｓ４２において、特別図柄の変動終了タイミングに達していない場合は（Ｓ４２のＮ）、Ｓ４４からＳ４８までの処理をスキップする。最後に、開放抽選制御処理を実行する（Ｓ５０）。
【００９６】
図１１は、図１０におけるＳ３４の当否判定処理を詳細に示すフローチャートである。まず、当否抽選手段１１２が当否抽選値を読み出して（Ｓ１００）、その当否抽選値に基づいて当否を判定し（Ｓ１０２）、当否抽選の結果が当りであれば確変連続上限回数に達する当りか否かを特定判定手段１２６が判定し（Ｓ１０４）、図柄決定手段１１４が当否判定結果に基づいて特別図柄の停止図柄を決定する（Ｓ１０６）。当否抽選の結果が当りの場合（Ｓ１０８のＹ）、決定した特別図柄の停止図柄が確変を伴う当り図柄であれば（Ｓ１１０のＹ）、特別遊技後に確変状態へ移行する旨を設定し（Ｓ１１２）、確変を伴う当り図柄でなければ（Ｓ１１０のＮ）、Ｓ１１２をスキップする。また、普図限定期間中でない場合であって（Ｓ１１４のＮ）、決定した特別図柄の停止図柄が普図限定図柄であれば（Ｓ１１６のＹ）、特別遊技後に普図限定期間を開始する旨を設定し（Ｓ１１８）、普図限定図柄でなければ（Ｓ１１６のＮ）、Ｓ１１８をスキップする。Ｓ１１４においてすでに普図限定期間中であれば（Ｓ１１４のＹ）、新たな当り等を契機に普図限定期間を再設定することはないため、Ｓ１１６およびＳ１１８をスキップする。Ｓ１０８において当否抽選の結果が外れであった場合は、Ｓ１１０からＳ１１８までスキップする（Ｓ１０８のＮ）。
【００９７】
その後、特別変動パターン決定手段１５０は、特別図柄の変動パターンを選択し（Ｓ１２０）、演出決定手段１３２は、当否判定結果および特別図柄に基づいて装飾図柄の停止図柄組合せを決定し（Ｓ１２２）、特別図柄の変動パターンに応じて装飾図柄の変動演出パターンを選択する（Ｓ１２４）。
【００９８】
図１２は、図１０におけるＳ５０の開放抽選制御処理を詳細に示すフローチャートである。開放抽選の抽選値が保留されている場合であって（Ｓ１３０のＹ）、普通図柄が変動表示中でなければ（Ｓ１３２のＮ）、図柄決定手段１１４が開放抽選を実行し（Ｓ１３４）、その抽選結果に応じて普通図柄表示制御手段１５６が普通図柄の変動表示を開始する（Ｓ１３６）。Ｓ１３０において開放抽選の抽選値が保留されていなかった場合は（Ｓ１３０のＮ）、Ｓ１３２からＳ１３６までの処理がスキップされ、Ｓ１３２において普通図柄が変動表示中であった場合は（Ｓ１３２のＹ）、Ｓ１３４およびＳ１３６の処理がスキップされる。続いて、普通図柄の変動表示がすでに開始されていれば（Ｓ１３８のＹ）、普通図柄表示制御手段１５６が普通図柄の変動表示処理を実行し（Ｓ１４０）、普通図柄の変動表示を終了させるべきタイミングに達していれば（Ｓ１４２のＹ）、普通図柄の変動停止処理を実行する（Ｓ１４４）。このとき、開放抽選が当りであれば（Ｓ１４６のＹ）、始動口６２の拡開機構６３を開放させ（Ｓ１４８）、当りでなければＳ１４８をスキップする（Ｓ１４６のＮ）。Ｓ１３８において、普通図柄の変動表示が開始されていなければ、Ｓ１４０からＳ１４８までの処理をスキップし（Ｓ１３８のＮ）、Ｓ１４２において、普通図柄の変動終了タイミングに達していない場合は（Ｓ１４２のＮ）、Ｓ１４４からＳ１４８までの処理をスキップする。また、始動口６２の拡開機構６３が開放中の場合であって（Ｓ１５０のＹ）、その閉鎖タイミングに到達していれば（Ｓ１５２のＹ）、開閉制御手段１２４は拡開機構６３を閉鎖する（Ｓ１５４）。閉鎖タイミングに達していなければ（Ｓ１５２のＮ）、Ｓ１５４をスキップし、拡開機構６３が開放されていないときは（Ｓ１５０のＮ）、Ｓ１５２およびＳ１５４をスキップする。
【００９９】
図１３は、図９におけるＳ１６の特別遊技を詳細に示すフローチャートである。まず、大入賞口６６がまだ開放済でない場合（Ｓ８０のＮ）、演出表示制御手段１３４が特別遊技の演出処理を開始して、開閉制御手段１２４が大入賞口６６を開放し（Ｓ８２）、大入賞口６６が開放済であればＳ８２をスキップする（Ｓ８０のＹ）。大入賞口６６が開放されてから、所定の開放時間が経過した場合（Ｓ８４のＹ）、または、開放時間が経過していないものの（Ｓ８４のＮ）、大入賞口６６への入球数が２球以上に達した場合（Ｓ８６のＹ）、開閉制御手段１２４が大入賞口６６を閉鎖させる（Ｓ８８）。開放時間が経過しておらず（Ｓ８４のＮ）、大入賞口６６への入球数も２球以上に達していない場合は（Ｓ８６のＮ）、Ｓ８８以降の処理をスキップしてＳ１６のフローを終了する。
【０１００】
Ｓ８８における大入賞口６６の閉鎖後、単位遊技が最終ラウンドである２回目のラウンドであった場合（Ｓ９０のＹ）、演出表示制御手段１３４は特別遊技の演出処理を終了させて、特別遊技制御手段１２０が特別遊技を終了させる（Ｓ９２）。このとき、確変状態へ移行する旨の設定がなされていた場合（Ｓ９３のＹ）、通常遊技において確変状態を開始し（Ｓ９４）、さらに普図限定期間を開始する旨の設定がなされていた場合（Ｓ９５のＹ）、普図限定期間を開始する（Ｓ９６）。普図限定期間を開始する旨の設定がなされていない場合は（Ｓ９５のＮ）、Ｓ９６をスキップし、確変状態へ移行する旨の設定がなされていない場合（Ｓ９３のＮ）、通常遊技において通常確率状態を開始してＳ９４からＳ９６の処理をスキップする（Ｓ９７）。Ｓ９０において単位遊技が最終ラウンドに達していなければ（Ｓ９０のＮ）、ラウンド数に１を加算してＳ１６のフローを終了する（Ｓ９８）。
【０１０１】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【０１０２】
上記の実施例においては、普図限定期間の終期は特別図柄の変動回数で規定する構成を説明した。変形例においては、普図限定期間を普通図柄の変動回数で規定する構成としてもよい。
【０１０３】
上記の実施例においては、普図限定期間は特別遊技終了後に開始する構成を説明したが、変形例においては、普通図柄が普図限定図柄にて停止表示されたときに普図限定期間を開始する構成としてもよい。
【符号の説明】
【０１０４】
５０  遊技盤、  ５２  遊技領域、  ５９  普通図柄表示装置、  ６１  特別図柄表示装置、  ６２  始動口、  ６３  拡開機構、  ６８  作動口、  １１２  当否抽選手段、  １１５  変動パターン決定手段、  １２０  特別遊技制御手段、  １２２  特定遊技実行手段、  １２４  開閉制御手段、  １２６  特定判定手段、  １５０  特別変動パターン決定手段、  １５２  普通変動パターン決定手段、  １５４  特別図柄表示制御手段、  １５６  普通図柄表示制御手段、  １９２  特別図柄。
【図１】
2011206256.tif 000003
【図２】
2011206256.tif 000004
【図３】
2011206256.tif 000005
【図４】
2011206256.tif 000006
【図５】
2011206256.tif 000007
【図６】
2011206256.tif 000008
【図７】
2011206256.tif 000009
【図８】
2011206256.tif 000010
【図９】
2011206256.tif 000011
【図１０】
2011206256.tif 000012
【図１１】
2011206256.tif 000013
【図１２】
2011206256.tif 000014
【図１３】
2011206256.tif 000015